(57)【要約】【課題】衛生用紙を取り出すときだけでなく、衛生用紙収納用カートンを開封した際にも良好な香りを放つことができる衛生用紙収納用カートンを提供する。【解決手段】本発明の衛生用紙収納用カートン１は、上面２、底面、一対の側面、及び一対の妻面を有する形状に折り曲げられ、衛生用紙の取出口の外周形状と一致するように取出口形成用切り込み線１４が形成されたカートン本体１６と、取出口をカートン本体１６の内側から被覆するように配置され、衛生用紙を取り出すためのスリット１８が形成されたウインドウフィルム２０と、を備え、ウインドウフィルム２０は、その表裏の全面に、香料成分が封入されたマイクロカプセル２１が担持されている。【選択図】図３
2010179946.tif 000002
【特許請求の範囲】
【請求項１】
上面、底面、一対の側面、及び一対の妻面を有する形状に折り曲げられ、これらの面によって区画された、衛生用紙を収納し得る内部空間が形成された箱状をなすとともに、前記衛生用紙の取出口の外周形状と一致するように取出口形成用切り込み線が形成されたカートン本体と、
前記取出口を前記カートン本体の内側から被覆するように配置され、前記衛生用紙を取り出すためのスリットが形成されたウインドウフィルムと、を備え、
前記ウインドウフィルムは、その表裏の全面に、香料成分が封入されたマイクロカプセルが担持されている衛生用紙収納用カートン。
【請求項２】
前記ウインドウフィルムは、その周囲全域に亘って、前記カートン本体の内側に接着されてい請求項１に記載の衛生用紙収納用カートン。
【発明の詳細な説明】
【技術分野】
【０００１】
本発明は衛生用紙収納用カートンに関する。更に詳しくは、衛生用紙を取り出すときだけでなく、衛生用紙収納用カートンを開封した際にも良好な香りを放つことができる衛生用紙収納用カートンに関する。
【背景技術】
【０００２】
一般に、家庭やオフィス等で広く使われているティシュペーパーは、概ね直方体の箱（以下、「カートン」ともいう）の内部空間に収納された形で市販されている。使用者は、ティシュペーパーを使用するに際し、箱の一面（通常は箱の上面）に設けられている所定形状のミシン目（取出口形成用切り込み線）を切り離すことによって、箱に細長い取出口を形成することができる。
【０００３】
このようなカートンとしては、取出口を形成する収納シート材料における、少なくともティシュペーパーの取り出し時に擦れる部分に、香料成分を封入するマイクロカプセル担持層が設けられ、ティシュペーパーの取り出し時に、当該ティシュペーパーがマイクロカプセルに擦れて接触し、マイクロカプセルから香料成分が揮散するように構成されてものが提案されている（例えば、特許文献１参照）。
【先行技術文献】
【特許文献】
【０００４】
【特許文献１】特開２００７−８５４２号公報
【発明の概要】
【発明が解決しようとする課題】
【０００５】
しかしながら、特許文献１に示すような衛生用紙収納用カートンにおいては、ティシュペーパーのような衛生用紙を取り出す際にしか香料成分が揮発しないため、消費者のニーズを十分に満足し得るものではないという問題があった。特に、近年においては、衛生用紙を取り出したときだけでなく、衛生用紙収納用カートンを開封した際にも香りを放つような衛生用紙収納用カートンが求められている。
【０００６】
本発明は、このような従来技術の有する問題点に鑑みてなされたものであり、衛生用紙を取り出したときだけでなく、衛生用紙収納用カートンを開封した際にも香りを放つような衛生用紙収納用カートンを提供するものである。
【課題を解決するための手段】
【０００７】
本発明者は上記課題を解決するために鋭意検討した結果、ウインドウフィルムの表裏の全面に、香料成分を封入したマイクロカプセルを担持することによって、上記課題を達成することが可能であることを見出し、本発明を完成するに至った。即ち、本発明によれば、以下に示す衛生用紙収納用カートンが提供される。
【０００８】
［１］  上面、底面、一対の側面、及び一対の妻面を有する形状に折り曲げられ、これらの面によって区画された、衛生用紙を収納し得る内部空間が形成された箱状をなすとともに、前記衛生用紙の取出口の外周形状と一致するように取出口形成用切り込み線が形成されたカートン本体と、前記取出口を前記カートン本体の内側から被覆するように配置され、前記衛生用紙を取り出すためのスリットが形成されたウインドウフィルムと、を備え、前記ウインドウフィルムは、その表裏の全面に、香料成分が封入されたマイクロカプセルが担持されている衛生用紙収納用カートン。
【０００９】
［２］  前記ウインドウフィルムは、その周囲全域に亘って、前記カートン本体の内側に接着されている前記［１］に記載の衛生用紙収納用カートン。
【発明の効果】
【００１０】
本発明の衛生用紙収納用カートンは、衛生用紙を取り出すときだけでなく、衛生用紙収納用カートンを開封した際にも良好な香りを放つことができる。
【図面の簡単な説明】
【００１１】
【図１】本発明の衛生用紙収納用カートンの一の実施形態を示す斜視図である。
【図２】本発明の衛生用紙収納用カートンの一の実施形態を示す斜視図である。
【図３】図１の衛生用紙収納用カートンを切断線Ａにて切断した断面の一部を模式的に示す断面図である。
【図４】図３の衛生用紙収納用カートンの取出口を開封した状態を模式的に示す断面図である。
【図５】本発明の衛生用紙収納用カートンの一の実施形態の一例を示す図であり、衛生用紙収納用カートンを組み立てる前のカートンブランクの状態の展開図である。
【発明を実施するための形態】
【００１２】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００１３】
〔１〕衛生用紙収納用カートン：
本発明の衛生用紙収納用カートンは、例えば、図１〜図４に示す衛生用紙収納用カートン１のように、上面２、底面４、一対の側面６、及び一対の妻面８を有する形状に折り曲げられ、これらの面によって区画された、衛生用紙１０を収納し得る内部空間が形成された箱状をなすとともに、衛生用紙１０の取出口の外周形状と一致するように取出口形成用切り込み線１４が形成されたカートン本体１６と、取出口をカートン本体１６の内側から被覆するように配置され、衛生用紙１０を取り出すためのスリット１８が形成されたウインドウフィルム２０と、を備え、このウインドウフィルム２０は、その表裏の全面に、香料成分を封入したマイクロカプセル２１が担持されている。
【００１４】
このように構成することによって、衛生用紙１０を取り出したときだけでなく、衛生用紙収納用カートン１を開封した際（即ち、取出口形成用切り込み線１４を破断して、取出口形成用切り込み線１４によって囲われた取出口片１４ａを切り離した際）にも、衛生用紙収納用カートン１から香りを放つようにすることができる。より具体的には、ウインドウフィルム２０の取出口片１４ａと接する側の面（以下、「ウインドウフィルム２０の表面２０ａ」ということがある）が、取出口片１４ａと接触することによってマイクロカプセル２１が破壊され、衛生用紙収納用カートン１を開封することによって、良好な香りを放つ香料成分が揮発する。
【００１５】
また、図４に示すように、衛生用紙１０を取り出すときには、ウインドウフィルム２０の衛生用紙１０と接触する側の面（以下、「ウインドウフィルム２０の裏面２０ｂ」ということがある）と、衛生用紙１０とが擦れて、ウインドウフィルム２０の裏面２０ｂに担持されたマイクロカプセル２１が破壊されて、取り出された衛生用紙１０とともに香料成分が揮発する。
【００１６】
なお、ウインドウフィルム２０の表面に担持されるマイクロカプセル２１に封入される香料成分及びウインドウフィルム２０の裏面に担持されるマイクロカプセル２１に封入される香料成分として、異なる香りを放つものを用いるようにすれば、衛生用紙１０を取り出したときに放たれる香りと衛生用紙収納用カートン１を開封した際に放たれる香りとを変えることができる。
【００１７】
ここで、図１及び図２は、本発明の衛生用紙収納用カートンの一の実施形態を示す斜視図である。なお、図１は、衛生用紙収納用カートンを上面側から見た斜視図であり、図２は、底面側から見た斜視図である。また、図３は、図１の衛生用紙収納用カートンを切断線Ａにて切断した断面の一部を模式的に示す断面図であり、図４は、図３の衛生用紙収納用カートンの取出口を開封した状態（より具体的には、衛生用紙を取り出した状態）を模式的に示す断面図である。
【００１８】
以下、本発明の衛生用紙収納用カートンの各構成要素について更に具体的に説明する。
【００１９】
〔１−１〕カートン本体：
「カートン本体」とは、上面、底面、一対の側面、及び一対の妻面を有する形状に折り曲げられ、これらの面によって区画された、衛生用紙を収納し得る内部空間が形成された箱状をなすとともに、衛生用紙の取出口の外周形状と一致するように取出口形成用切り込み線が形成された箱体である。
【００２０】
〔１−１Ａ〕箱状：
「箱状」とは、上面、底面、一対の側面、及び一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１及び図２に示す衛生用紙収納用カートン１は、カートン本体１６の側面６側を長辺、妻面８側を短辺とする直方体状にカートン本体１６を構成した例である。なお、これらの形状において、二つの面の稜線部分を面取りしたものも、本明細書にいう「箱状」に含まれる。
【００２１】
「カートン本体」は、例えば、紙材料等からなるカートンブランクを折り曲げることによって、上面、底面、一対の側面、及び一対の妻面を有する形状に形成される。ここで、図５は、本発明の衛生用紙収納用カートンの一の実施形態の一例を示す図であり、衛生用紙収納用カートンを組み立てる前のカートンブランクの状態の展開図である。
【００２２】
図５に示すカートンブランク１００は、一枚の紙材料によって、折り曲げ線を介して上面４２、底面４４、一対の側面４６が形成されており、側面４６の端縁からは、折り曲げ線を介して内フラップ２６が延出されている。
【００２３】
また、上面４２の端縁からは、折り曲げ線を介して上面外フラップ２８が延出されており、これと同様に、底面４４の端縁からは、折り曲げ線を介して底面外フラップ３０が延出されている。更に、底面４４の一の側縁部からは、折り曲げ線を介して、側面接合代３２が延出されている。このようなカートンブランク１００は、各折り曲げ線を折り曲げ、側面接合代３２と側面４６を接合した後、上面外フラップ２８と底面外フラップ３０を接合することで、一対の妻面８を形成することができる。こうすることにより、カートンブランク１００を、図１及び図２に示すような衛生用紙収納用カートン１とすることができる。
【００２４】
本発明の衛生用紙収納用カートンは、上面、底面、一対の側面、及び一対の妻面によって区画された内部空間が形成される。この内部空間は、衛生用紙を収納するための空間である。この内部空間に収納する衛生用紙の種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００２５】
中でも、一の衛生用紙が折り畳まれ、その折り返し部分に他の衛生用紙が挟み込まれた状態で折り畳まれることによって、複数枚の衛生用紙が連続的に積層された衛生用紙束を前記内部空間に収納することが好ましい。このような積層構造の衛生用紙は、最上層の衛生用紙を取り出すことにより、これに挟み込まれていた次層の衛生用紙の一部が取出口から突出し、衛生用紙の取出しが容易なものとなる利点がある（いわゆるポップアップ方式）。更に、このような衛生用紙束は、次層の衛生用紙を引き出すことによって、ウインドウフィルムの裏面に担持されたマイクロカプセルが破壊されるため、その衛生用紙に香料成分が付着し、また、引き出された衛生用紙とともに揮発した香料成分が取出口から放出されて、良好に香りを放つことができる。
【００２６】
本発明の衛生用紙収納用カートンを構成する材質について特に制限はない。但し、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
【００２７】
〔１−１Ｂ〕取出口形成用切り込み線：
「取出口形成用切り込み線」とは、衛生用紙の取出口の外周形状と一致するように形成された切り込み線である。使用者は、この切り込み線を破断することによって取出口を形成することができ、その取出口から衛生用紙を取り出すことが可能となる。
【００２８】
衛生用紙の取出口の外周形状について特に制限はなく、カートン本体や衛生用紙の形状に応じて適宜選択すればよい。但し、カートン本体として直方体状のものが多く用いられるため、その取出口の形状はカートン本体の長手方向に沿った横長形状とすることが好ましい。従って、取出口の外周形状としては、例えば、略長方形状、略長円形状、長楕円形状、菱形状、又は多角形状等の形状を挙げることができる。例えば、図１に示す衛生用紙収納用カートン１は、略長方形状の取出口形成用切り込み線１４が形成されている例である。
【００２９】
取出口形成用切り込み線は、通常、図１に示す衛生用紙収納用カートン１のように、カートン本体１６の上面２に形成されることが多いが、特にそのような制限があるわけではない。例えば、カートン本体の底面に形成されていてもよいし、他の面に形成されていてもよい。また、取出口形成用切り込み線は一の面のみに形成されていなければならないわけではなく、二以上の面（例えば、上面と底面）に形成されていてもよい。
【００３０】
なお、取出口形成用切り込み線によって包囲された部分（取出口片となる部分）には、取出口形成用切り込み線の二点を繋ぐように、引剥がし用切り込み線が形成されていてもよい。このような切り込み線を形成することで、取出口片の引き剥がしが容易となる利点がある。例えば、図１に示す衛生用紙収納用カートン１は、略長方形状の取出口形成用切り込み線１４の端部側に、略Ｕ字状の引剥がし用切り込み線５２が形成されている例である。
【００３１】
上記の取出口用切り込み線、及び引剥がし用切み込み線は、直線状の切れ目（スリット）であってもよいし、部分的につながりを有するミシン目状のものであってもよい。また、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目であってもよい。例えば、図１に示す衛生用紙収納用カートン１は、取出口形成用切り込み線１４のうち、引剥がし用切り込み線５２より内側の部分を、２重線のミシン目とした例である。
【００３２】
また、本発明の衛生用紙収納用カートンにおいては、底面に一対の押上片を形成するための押上片形成用切り込み線を形成することも好ましい形態の一つである。カートン本体に収納された衛生用紙の残量が少なくなった際に、底面に形成された押上片形成用切り込み線を押圧して押し破り、カートン本体の内側に折り曲げることによって、一対の押上片を形成する。この押上片によって、カートン本体内部の衛生用紙が上面側に押し上げられので、上面の取出口から衛生用紙の最後の一枚まで、安定してポップアップさせることが可能である。例えば、図２に示す衛生用紙収納用カートン１は、底面４の中央部にＵ字状の押上片形成用切り込み線５４が一対形成された例である。
【００３３】
〔１−２〕ウインドウフィルム：
「ウインドウフィルム」とは、取出口をカートン本体の内側から被覆するように配置され、衛生用紙を取り出すためのスリットが形成されたフィルム材である。取出口の内側からウインドウフィルムを貼り付けると、外部の塵や異物から衛生用紙を保護することができる。また、衛生用紙を外部に取出す際に、ウインドウフィルムに形成されたスリット間の摩擦により、ポップアップした衛生用紙がカートンの内部に落ち込むことが防止され、衛生用紙を取出口から突出させた状態で保持することが可能となる。そして、本発明の衛生用紙収納用カートンにおいては、このウインドウフィルムの表裏の全面に、香料成分が封入されたマイクロカプセルが担持されている。
【００３４】
〔１−２Ａ〕フィルム：
「フィルム」とは薄膜状の部材である。その構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００３５】
「生分解性プラスチック」とは、バクテリアをはじめとする微生物、或いは酵素等の作用によって分解されるプラスチックを意味する。具体的には、ポリグリコール酸、ポリ乳酸等のポリ（α−ヒドロキシ酸）；ポリ（ε−カプロラクトン）、ポリ（β−プロキオラクトン）等のポリラクトン類；ポリ−３−ヒドロキシプロピオネート、ポリ−３−ヒドロキシブチレート、ポリ−３−ヒドロキシカプロレート、ポリ−３−ヒドロキシヘプタノエート、ポリ−３−ヒドロキシオクタノエート、ポリ−３−ヒドロキシバリレート、ポリ−４−ヒドロキシブチレート等のポリ（α−ヒドキシアルカノエート）；ポリエチレンオキサレート、ポリエチレンサクシネート、ポリエチレンアジペート、ポリエチレンアゼレート、ポリブチレンオキサレート、ポリブチレンサクシネート、ポリブチレンアジペート、ポリブチレンセバケート、ポリヘキサメチレンセバケート、ポリネオペンチルオキサレート等のグリコールとカルボン酸の縮重合体；等を挙げることができる。これらのプラスチックを構成する重合体は単独重合体に限られず共重合体であってもよい。また、生分解性に影響を与えない範囲で、ウレタン結合、アミド結合、エーテル結合等を有する重合体であってもよい。
【００３６】
上記フィルムには、透明フィルム、半透明フィルム、不透明フィルム、着色フィルムのいずれもが含まれる。また、文字や模様等が印刷されたフィルムであってもよい。フィルムの形状は、カートン本体の取出口を被覆することができる限りにおいて、どのような形状のものであってもよい。但し、取出口の形状として横長形状のものが汎用されることから、図１に示す衛生用紙収納用カートン１のように、長方形状のフィルムを用いることが好ましい。
【００３７】
〔１−２Ｂ〕スリット：
「スリット」とは、ウインドウフィルムを貫通する切れ目である。衛生用紙収納用カートン内に収納されたティシュペーパーをはじめとする衛生用紙は、このスリットを通してカートンの外部へ引き出される。例えば、図１に示す衛生用紙収納用カートン１は、ウインドウフィルム２０の中央部に直線状のスリット１８を形成した例である。
【００３８】
〔１−３〕マイクロカプセル：
本発明の衛生用紙収納用カートンに用いられるマイクロカプセルは、その内部に香料成分が封入されたものである。本発明の衛生用紙収納用カートンにおいては、このようなマイクロカプセルが、ウインドウフィルムの表裏の全面に担持され、マイクロカプセルによって構成された層（マイクロカプセル担持層）を構成している。これにより、衛生用紙収納用カートンの開封時、及び衛生用紙を取り出して使用する際に、香料成分が揮発し、良好な香りを放つことができる。
【００３９】
マイクロカプセルを構成する被膜の材料については特に制限はないが、例えば、メラミン樹脂、ウレタン樹脂、尿素樹脂、ゼラチン、アクリル樹脂、ポリスチレン、ナイロン、アルギン酸カルシウム、アラビアゴム、ポリビニルアルコール、パラフィン、及びポリエチレンからなる群より選択される少なくとも一種の成分を含む材料を用いることができる。これらの中で、例えば、メラミン樹脂、ウレタン樹脂等が好ましい。このような材料は気密性に優れるため、香料成分を長時間保持することが可能となる。
【００４０】
また、マイクロカプセルに封入される香料としては、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモス又はモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンの各種の合成香料或いはこれらの二つ以上の混合物を挙げることができる。
【００４１】
このような香料成分を封入したマイクロカプセルは、化学的方法、物理化学的方法、及び機械的方法等の従来公知のマイクロカプセルを製造する方法を用いて製造することができる。
【００４２】
例えば、化学的方法は、化学反応を利用してカプセルを形成する方法であり、界面重合法やｉｎ−ｓｉｔｕ（その場）重合等の方法を好適に用いることができる。また、物理化学的方法は、凝固、析出等のような化学反応以外の方法によってカプセルを形成する方法であり、例えば、液中乾燥法やコアセルベーション法等の方法を好適に用いることができる。更に、機械的方法は、噴霧乾燥法や乾式混合法等の方法を好適に用いることができる。
【００４３】
以下、マイクロカプセルの製造方法の一例として、マクロカプセルの材料にメラミン樹脂を用いた例について説明する。
【００４４】
まず、マイクロカプセルに封入するための香料成分と、乳化液と、メラミン樹脂プレポリマーとをそれぞれ準備する。上記乳化液としては、例えば、エチレン無水マレイン酸等を好適に用いることができる。
【００４５】
準備した乳化液を攪拌しながら、その中に香料成分を添加する。その後、徐々に乳化液を攪拌する回転数を上げて、香料の油滴を調製する。
【００４６】
次に、香料の油滴を調製した乳化液に、メラミン樹脂プレポリマーを添加し、攪拌、反応を続けることにより、香料成分からなる油滴の周りにメラミン樹脂膜が生成されて、マイクロカプセルとなる。なお、例えば、香料成分及びメラミン樹脂プレポリマーの量により、マイクロカプセルの膜厚を調節することができる。
【００４７】
マイクロカプセルの粒径に制限はないが、平均粒径が０．３〜５０μｍであることが好ましく、３〜２０μｍであることが更に好ましい。
【００４８】
マイクロカプセルをウインドウフィルムに配置する方法としては、ロール転写塗布やスプレー塗布などの適宜の方法を採用できる。
【００４９】
マイクロカプセルをウインドウフィルムに配置する際の塗布液としては、バインダーを含有するものを好適に用いることができる。上記バインダーとしては、例えば、でんぷん、ＰＶＡ、ウレタン樹脂、アクリル樹脂を挙げることができる。マイクロカプセルは、上記バインダーに対して、例えば、２〜２０質量％に分散させたものを、固形分量で、例えば、２．３〜２３ｇ／ｍ２の塗布量で塗布すること好ましい。塗布液中に適宜分散剤、例えば、溶剤を含有させてもよい。
【００５０】
また、ウインドウフィルムにマイクロカプセルを担持する際には、ウインドウフィルムの表面及び裏面に、コロナ放電処理により凹凸を形成してもよい。このように構成することによって、マイクロカプセルを担持させた際の密着性をより向上させることができる。
【００５１】
本発明の衛生用紙収納用カートンにおいては、上述したようにウインドウフィルムの表裏の全面にマイクロカプセルが担持されている。なお、「ウインドウフィルムの表裏の全面にマイクロカプセルが担持される」とは、ウインドウフィルムの表面及び裏面の全域が、マイクロカプセルによって被覆される状態をいう。即ち、ウインドウフィルムの表面及び裏面の一部が意図的に露出されるようなマイクロカプセルの担持は含まれない。このように構成することによって、香料成分を良好に揮発させることができるとともに、マイクロカプセルの担持を簡単に行うことができる。
【００５２】
〔１−４〕接着部：
「接着部」とは、カートン本体とウインドウフィルムとを接着する部分である。即ち、ウインドウフィルムは、接着部によってカートン本体の内側に貼り付けられている。接着部は、ウインドウフィルムをカートン本体に貼り付けることができる限りにおいて、その形成方法は特に限定されるものではない。例えば、接着剤、両面テープ、熱融着等の方法によって、接着部を形成することができる。
【００５３】
また、本発明の衛生用紙収納用カートンにおいては、接着部は取出口を包囲する環状に配置されていることが好ましい。ここにいう「環状」とは、ある領域を区画するように、線が連続的に結ばれた形状を意味し、一の曲線が連続的に結ばれた形状のみならず、いくつかの直線が連続的に結ばれた形状も含む。具体的には、略長方形状、略長円形状、長楕円形状、長方形状、菱形状、又は多角形状等を挙げることができる。例えば、図１に示す衛生用紙収納用カートン１は、接着部２２を取出口を包囲する長方形状に配置した例である。
【００５４】
なお、本発明の衛生用紙収納用カートンにおいては、ウインドウフィルムが、その周囲全域に亘って、カートン本体の内側に上記接着部によって接着されていることが好ましい。即ち、上記接着部は、取出口を包囲する連続的に結ばれた形状のものであることが好ましい。このように構成することによって、ウインドウフィルムの表面の接着部によって包囲された部分が密閉された状態となり、取出口を開封する前にウインドウフィルムの表面に担持されたマイクロカプセルが破壊されても、香料成分が外部（即ち、接着部によって包囲された領域よりも外）に漏れてしまうことがなく、ウインドウフィルムとカートン本体の内面（主として、取出口片の内面）との間に香料成分が密閉又はカートン本体の内面（主として、取出口片の内面）に移るため、取出口形成用切り込み線を破断して取出口を開封することによって、取出口から良好に香りを放つようにすることができる。
【００５５】
〔２〕衛生用紙収納用カートンの製造方法：
本発明の衛生用紙収納用カートンは、例えば、以下の製造方法によって製造することができる。まず、厚紙等の紙材料を用いて、図５に示すような形状のカートンブランクを作製する。
【００５６】
また、上記カートンブランクの作製とは別に、ウインドウフィルムを形成するためのシート材を用意し、このシート材に、香料成分が封入されたマイクロカプセルを担持する。なお、香料成分が封入されたマイクロカプセルは、上述したマイクロカプセルの製造方法等に準じて作製することができる。また、マイクロカプセルは、バインダーや溶剤等に分散させた塗布液を、例えば、ロール転写塗布やスプレー塗布等の方法によって、シート材に塗布することによって担持することができる。
【００５７】
次に、マイクロカプセルを担持したシート材を、所定の大きさに切断し、且つ、衛生用紙を取り出すためのスリットを形成してウインドウフィルムを作製する。
【００５８】
次に、得られたウインドウフィルムを、カートンブランクの取出口形成用切り込み線を包囲する位置に接着する。ウインドウフィルムを接着する際には、カートンブランクの取出口形成用切り込み線を包囲する位置に接着剤を塗布し、カートンブランクとウインドウフィルムとを接着する。
【００５９】
その後、カートンブランクを折り曲げ線に沿って折り曲げ、側面と底面の側面接合代とを重ね合わせ、その重なり部分を接着剤によって接着することによって妻面側が開放された角筒状とする。次いで、角筒状のカートンブランクの内部空間に衛生用紙が積層された精製用紙束を装填する。更に、一対の内フラップを折り曲げ線に沿って折り曲げた後、上面外フラップと底面外フラップをその一部が互いに重なり合うように折り曲げ、その重なり部分を接着剤等によって接着することによって、一対の妻面を形成する。このようにして、本発明の衛生用紙収納用カートンを製造することができる。
【産業上の利用可能性】
【００６０】
本発明の衛生用紙収納用カートンは、ティシュペーパー、キッチンペーパー等のペーパータオル、シート状のトイレットペーパー、ワッティング（紙綿）等の衛生用紙を収納するためのカートンとして、好適に用いることができる。
【符号の説明】
【００６１】
１：衛生用紙収納用カートン、２：上面、４：底面、６：側面、８：妻面、１０：衛生用紙、１４：取出口形成用切り込み線、１４ａ：取出口片、１６：カートン本体、１８：スリット、２０：ウインドウフィルム、２０ａ：表面（ウインドウフィルムの表面）、２０ｂ：裏面（ウインドウフィルムの裏面）、２１：マイクロカプセル、２２：接着部、２６：内フラップ、２８：上面外フラップ、３０：底面外フラップ、３２：側面接合代、４２：上面、４４：底面、４６：側面、５２：引剥がし用切り込み線、５４：押上片形成用切り込み線、１００：カートンブランク。
【図１】
2010179946.tif 000003
【図２】
2010179946.tif 000004
【図３】
2010179946.tif 000005
【図４】
2010179946.tif 000006
【図５】
2010179946.tif 000007